(57)【特許請求の範囲】
【請求項１】
音楽を奏でる発音機構と、基端が前記発音機構に点接触した状態で取り付けられて前記発音機構で発生する音の振動エネルギを伝達する振動媒体と、この振動媒体に着脱可能に取り付けられるとともに前記振動媒体を介して伝達される前記振動エネルギに基づき前記音楽を拡音して再生する拡音部材とを有することを特徴とする発音装置。
【請求項２】
請求項１に記載する発音装置において、
前記振動媒体は、前記基端から先端に向かって二股に分かれて伸びる針金状の部材からなり、湾曲させた平板状部材である前記拡音部材の一辺を前記部材の途中に設けた受部で支持するとともに、前記拡音部材の前記一辺に相対向する他の辺を前記部材の先端部に設けた鉤部で係止するようにしたことを特徴とする発音装置。
【請求項３】
請求項１に記載する発音装置において、
前記振動媒体は、基端が前記発音機構に点接触した状態で先端に向かって伸びる棒状の支柱で構成されており、
前記拡音部材は、針金状部材と、この針金状部材に固着された拡音部とからなり、前記針金状部材を前記振動媒体の先端部に着脱可能に取り付け得るようにしたものであることを特徴とする発音装置。
【請求項４】
請求項１に記載する発音装置において、
前記発音機構は、オルゴール乃至電子オルゴールで構成したことを特徴とする発音装置。
【請求項５】
請求項１に記載する発音装置において、
前記発音機構は、磁石による磁界中に占位させたコイルに供給する電流の変化に応じて前記コイルが変位することにより音を発生させるものであることを特徴とする発音装置。
【請求項６】
請求項３に記載する発音装置において、
前記拡音部材は、茎の部分が前記針状部材で構成された造花で構成したことを特徴とする発音装置。
【発明の詳細な説明】
【技術分野】
【０００１】
本発明は、見栄えと音質の向上を企図した、例えば、オルゴールやスピーカー等の発音装置に関し、心地よい音を聞くだけの機能だけでなく装飾品としての機能を有する発音装置としたものである。
【背景技術】
【０００２】
発音装置としてオルゴール装置やスピーカー装置が知られている。オルゴール装置は、オルゴール本体の振動を、該オルゴール本体を包むケースに伝達し、増幅して大きな音を出しているのが一般的である。また、スピーカー装置は、コイルと磁石とからなる音源部と、紙やプラスチック等で形成された円錐型の振動膜とから構成されているのが一般的である。【０００３】
オルゴール装置においては、音の反響する部分が宝石箱のような箱型や円筒型のケース形態が一般的である。一方、形状のユニークな家型、人形や各種キャラクター型のオルゴール装置も知られている。これらは、人形等のユニークな形状の下にケースが付くか、あるいは、キャラクターの中にケースが入ったものであり、ケースが共鳴体となって音の振動を増幅させて大きな音が出るようになっている。【０００４】
しかし、ケースを共鳴体としただけでは音階板を弾いて音を発生させるオルゴール装置では、人が通常聴取するには音量が不足しがちであった。このため、従来から、音源に振動棒を介してコーンを固定し、音を増幅してコーンから音を出すようにしたオルゴール装置が知られている（例えば、特許文献１参照）。従来のオルゴール装置では、特別な電気的装置を用いることなく音を拡大・放射することができる。【０００５】
一方、従来のスピーカー装置は、スピーカーの振動膜が画一的で見栄えが悪く、体裁をよく見せるために粗いメッシュの布や網で覆われ、直接目に触れるのを避ける場合が多い。オルゴール装置の分野では、見栄えを向上させるために、造花を活ける鉢やかごなどの容器の中にオルゴールを備えたオルゴール装置が知られている（例えば、特許文献２参照）。【０００６】
【特許文献１】特開平２０００−３１５０７９号公報
【特許文献２】登録実用新案第３００６６７８号公報
【発明の開示】
【発明が解決しようとする課題】
【０００７】
従来のオルゴール装置は、コーンを円錐形あるいは円錐台形に成形する必要があり製造コストがかかる問題があった。即ち、オルゴール本体から発する音源を円錐形あるいは円錐台形コーンで増幅するオルゴール装置にあっては、その加工コストが掛かり、最終的にはオルゴール装置自体の値段を高くさせてしまっていた。また、通常のコーンでは、人間の聴覚に依存するやわらかく心地良い音として増幅することが困難であり、更に、音を増幅する部分を美しく見せるような工夫はされていなかった。また、従来のオルゴール装置にあっては、音の響く部分が箱形であり、従来のスピーカーコーンが円錐形ばかりで、形の楽しさもなく、また簡単に脱着することはできなかった。このため、色々な素材から発せられる音を聞き比べことは容易ではなかった。【０００８】
本発明は上記状況に鑑みてなされたもので、音の響く部分に趣向を持たせ、また簡単に着脱でき、色々な素材から発せられる音を聞き比べることができると共に、音を増幅する部分を美しく見せる工夫を凝らした発音装置を提供することを目的とする。
【課題を解決するための手段】
【０００９】
上記目的を達成するための本発明の第１の態様は、
音楽を奏でる発音機構と、基端が前記発音機構に点接触した状態で取り付けられて前記発音機構で発生する音の振動エネルギを伝達する振動媒体と、この振動媒体に着脱可能に取り付けられるとともに前記振動媒体を介して伝達される前記振動エネルギに基づき前記音楽を拡音して再生する拡音部材とを有することを特徴とする発音装置にある。
本発明の第２の態様は、
上記第１の態様に記載する発音装置において、
前記振動媒体は、前記基端から先端に向かって二股に分かれて伸びる針金状の部材からなり、湾曲させた平板状部材である前記拡音部材の一辺を前記部材の途中に設けた受部で支持するとともに、前記拡音部材の前記一辺に相対向する他の辺を前記部材の先端部に設けた鉤部で係止するようにしたことを特徴とする発音装置にある。
本発明の第３の態様は、
上記第１の態様に記載する発音装置において、
前記振動媒体は、基端が前記発音機構に点接触した状態で先端に向かって伸びる棒状の支柱で構成されており、
前記拡音部材は、針金状部材と、この針金状部材に固着された拡音部とからなり、前記針金状部材を前記振動媒体の先端部に着脱可能に取り付け得るようにしたものであることを特徴とする発音装置にある。
本発明の第４の態様は、
上記第１の態様に記載する発音装置において、
前記発音機構は、オルゴール乃至電子オルゴールで構成したことを特徴とする発音装置にある。
本発明の第５の態様は、
上記第１の態様に記載する発音装置において、
前記発音機構は、磁石による磁界中に占位させたコイルに供給する電流の変化に応じて前記コイルが変位することにより音を発生させるものであることを特徴とする発音装置にある。
本発明の第６の態様は、
上記第３の態様に記載する発音装置において、
前記拡音部材は、茎の部分が前記針状部材で構成された造花で構成したことを特徴とする発音装置にある。
【発明の効果】
【００３３】
本発明の発音装置は、形状を針金や紙で作られたいわゆる手芸の造花と呼ばれているものや、ドライフラワーや、これらを模したプラスチック加工品で成形した造花、和紙の折り紙、傘、和紙人形、クリスマスツリー、和紙の照明等を物品とし、音源からの振動エネルギーを物品に与えて振動させることで、音や曲を発し、見た目にも美しい音の出る発音装置とすることができる。また、人形が持つ傘や帽子、ランドセル、帆船の帆の形など様々な形に物品に装飾を施すことで、一層変化を楽しむことができる。【００３４】
また音源と物品を取り外し自在としたことで、同じ形状であっても紙から布へ素材を代えることで、またプラスチックや金属に代えることで、音の大きさや響きを聞き比べることができる。また植物を炭に焼くことで音を響きやすくし、物品に炭をつけることで音色も美しく且つ脱臭効果も期待できる発音装置になる。竹や木は材質が堅いため、焼いて炭にしなくても良い音がするので、美しく細工を施せば、物品として使用できる。また、物品に酸化チタンを内添またはコーティングすることで色も綺麗に仕上がり且つ光触媒の脱臭効果が期待できる。【００３５】
更に、玄関などに発音装置を置き、来客者が前を通った時や触れたときにセンサにより検知することで、美しい音色を発し、来客者を迎えることができる。また電球やＥＬ（エレクトロルミネセンス）といった光源を付け、照明と連動させることで音と光と形状の相乗効果で、一層存在感を持たせることができ来客者をやさしく迎えることができる。【００３６】
また、本発明の発音装置は、やわらかく心地良い音を奏でることができ、板状または筒状の紙部材自体に、印刷、描画、揮毫、ちぎり絵、押し花等の装飾をほどこすことで、インテリアとしての価値を増すことができる。また、装置本体をぬいぐるみの中に入れ、振動媒体で振動をぬいぐるみの外に出し、紙部材を帽子あるいは傘あるいはラッパあるいはランドセル等の形に成形して振動媒体に取り付けることで、玩具としても楽しむことができる。【００３７】
従って、本発明の発音装置は、成形コストがかからず、また、特に、紙部材が板状紙で和紙の場合には、やわらかく心地良い音を奏でることができる。そして、板状紙なので装飾がしやすく、心地よい音を聞くだけの機能だけでなく装飾品としての機能を有する発音装置とすることができる。
【図面の簡単な説明】
【００３８】
【図１】本発明の実施例１に係る発音装置としてのオルゴール装置の全体構成を表す斜視図である。
【図２】本発明の実施例１に係る発音装置としてのオルゴール装置の全体構成を表す側面図である。
【図３】本発明の実施例２に係る発音装置としてのオルゴール装置の全体構成を表す斜視図である。
【図４】本発明の実施例３に係る発音装置としてのスピーカー装置の全体構成を表す斜視図である。
【図５】本発明の実施例４に係る発音装置としてのオルゴール装置の全体構成を表す斜視図である。
【図６】本発明の実施例５に係る発音装置としてのオルゴール装置の全体構成を表す斜視図である。
【図７】本発明の実施例６に係る発音装置としてのオルゴール装置の全体構成を表す斜視図である。
【図８】本発明の実施例７に係る発音装置としてのオルゴール装置の全体構成を表す斜視図である。
【図９】本発明の実施例８に係る発音装置としてのオルゴール装置の全体構成を表す斜視図である。
【符号の説明】
【００３９】
１、５１  オルゴール装置
２  発音機構
３  回転ドラム
４  支持部材
５  基台
６  ピン
７  ゼンマイ
８  ピニオンギヤ
９  ハンドル
１０  音階板
１１  本体フレーム
１２  保持スタンド
１３  ねじ
１４  板状紙
１５  鉤部
１６  受部
２１  針金製支柱
２２  花
２３  葉
２４  和紙装飾体
２５  差込みソケット
２６  枝・茎用金属線
２７  ケース
２８  防振材
２９  開口部
３０  スピーカー装置
３１  コイル
３２  エナメル線
３３  永久磁石
３５  円筒型和紙
３７  竹筒
３８  節部
４１  名札
４３  筒体
５２  ぬいぐるみ
５３  針金製支柱
５４  傘
【発明を実施するための最良の形態】
【００４０】
実施の形態例を以下の実施例に基づいて説明する。
【実施例１】
【００４１】
図１には本発明の実施例１に係る発音装置としてのオルゴール装置の全体構成を表す斜視、図２にはその側面視を示してある。【００４２】
図に示すように、オルゴール装置１は、発音機構２（オルゴール発音機構）を備え、発音機構２は回転ドラム３を有している。回転ドラム３は支持部材４を介してフレームとしての基台５に取り付けられ、回転ドラム３の外周にはメロディを奏でるための多数のピン６が植立されている。また、回転ドラム３の主軸の入力端にはスバーギヤ等が取り付けられ、ゼンマイ７が配置されている。ゼンマイ７には中心軸側に連動して回転するように備えられるピニオンギヤ８が設けられ、スバーギヤとピニオンギヤ８が噛み合っている。ゼンマイ７はハンドル９の回動により回転ドラム３の固転エネルギーが蓄えられるようになっている。【００４３】
一方、回転ドラム３の外周に対向して、先端部が櫛歯板状とされた音階板１０がオルゴール装置１の本体フレーム１１に取り付けられている。回転ドラム３がゼンマイ７の蓄積エネルギーにより回転し始めれば、回転ドラム３のピン６により音階板１０の櫛歯板状の先端部を次々に弾き発音する。機構部分はカバー１７により覆われ、安全が確保されている。【００４４】
尚、オルゴール装置１としては電子オルゴール（電子オルゴール発音機構を適用することも可能である。【００４５】
次に、本発明のオルゴール装置１の主要部について説明する。【００４６】
音源である音階板１０から発生される音は、振動エネルギーとして本体フレーム１１に伝達されるが、この本体フレーム１１のみの振動では人間の聴覚に訴える音としては音量が相対的に弱い。また、本体フレーム１１自体の材質にもよるが、音質が機械的で無機質になりがちであり心地良さを感じ難い時もある。【００４７】
そこで、本実施例では、本体フレーム１１に物品である紙部材としての板状紙を取り外し自在に接続し、振動媒体を介して振動エネルギーを板状紙に伝え、板状紙が振動することによって音を発するようにし、音量を拡大するとともに、やわらかく心地良い音を奏でる効果を発揮させている。【００４８】
上記構成を実現するため、振動媒体としての金属線、例えば、針金材、ピアノ線等で形成した保持スタンド１２の一端を本体フレーム１１の上面にねじ１３により固定している。また、保持スタンド１２の他端は二股状に分かれ、保持スタンド１２の先端は鉤形に折り曲げられて鉤部１５が形成されている。また、保持スタンド１２の中間部よりやや下方の位置には受部１６が形成され、鉤部１５と受部１６の間に板状紙１４が所定の状態で湾曲されて挟み込まれて保持されている。【００４９】
保持スタンド１２における上端側の鉤部１５と下端側の受部１６の間隔を適当な寸法に設定することにより、板状紙１４の湾曲する曲率半経を最適に定めることができる。また、受部１６を保持スタンド１２に対してスライド自在とすることで、板状紙１４を任意の曲率半径に湾曲させることができ（湾曲変化手段）、音量調整機能を果たすことができる。即ち、板状紙１４の曲率半径を変化可能とすれば音源から発生する音量を適宜に調整することが可能になる。【００５０】
板状紙１４は、面が音階板１０の面(水平方向)に対して交差（直交：垂直方向）し、且つ、音階板１０のスリットの形成方向に対して交差（直交：ドラム３の中心軸に沿った方向）して配されている。このため、音階板１０の振動が確実に伝えられる。【００５１】
板状紙１４について説明する。【００５２】
板状紙１４は、洋紙又は和紙を使用する。特に、和紙の場合、音の響きの良いみつまた、がんぴ、楮、バナナ、ケナフ、ピニア等の靭皮繊維の和紙を使用するのが好ましい。これらの靭皮繊維を便用した和紙は、音を伝達した場合、その振動がやわらかく心地良い音を奏でる効果がある。尚、洋紙であっても金属やプラスチック等の振動部材に比較して遥かにやわらかい音を奏でることができる。【００５３】
板状紙１４は取り外しが自在となっているので、風景や植物、鳥類等の写真や絵を印刷した複数種類の板状紙１４を用意することで、周囲の雰囲気や季節等に応じて交換して使用し多数のシーンに対応したりオリジナルの装飾品とすることができる。また、ちぎり絵、押し花等を施した複数種類の板状紙１４を用意することで、置物、あるいは部屋のインテリアとしての価値を創出することができる。更に、板状紙１４にアロマオイルや香料等をしみ込ませ、嗅覚との相乗効果が得られるようにしても良い。また、店舗のディスプレイやレストランのテーブルメニューとしても使用することができる。【００５４】
尚、照明手段を備えて板状紙１４を照らすことも可能である。照明装置を用いることにより、例えば、和紙を通して柔らかな光を得ることができ、装飾品としての価値を更に高めることができる。【００５５】
また、物品としての板状紙１４や保持スタンド１２に酸化チタンを内添またはコーティングすることで色も綺麗に仕上がり且つ光触媒の脱臭効果が期待できる。更に、玄関などにオルゴール装置１を置き、来客者が前を通った時や触れたときにセンサにより検知することで、美しい音色を発するように構成し（制御手段）、来客者が通った時に音色を発して来客者を迎えることができる。また電球やＥＬ（エレクトロルミネセンス）といった光源を付け、照明と連動させることで音と光と形状の相乗効果で、一層存在感を持たせることができ来客者をやさしく迎えることができる。【００５６】
従って、上述した実施例１では、洋紙又は和紙からなる紙面を音源の媒体として使用することにより、従来にない音のやわらかさと、装飾体として美的鑑賞の対象物とすることができ、多方面に発展させることが可能なきわめて有用な発音装置とすることができる。
【実施例２】
【００５７】
図３には本発明の実施例２に係る発音装置としてのオルゴール装置の全体構成を表す斜視を示してある。尚、図１、図２に示した実施例１と発音機構２の構成は同一であるので、同一符号を付して重複する説明は省略してある。実施例２はオルゴール装置により物品としての造花部分を共鳴させるようにした発音装置の例を示してある。【００５８】
オルゴール装置の発音機構２から発する振動エネルギーを振動媒体としてのねじ１３を介して針金製支柱２１に伝達し、針金製支柱２１を介して花２２、葉２３から成る和紙装飾体２４に伝え、和紙装飾体２４を共鳴させるようにしたものである。【００５９】
詳細に述べると、金属線、例えば針金材、ピアノ線等で形成した針金製支柱２１の一端を本体フレーム１１の上面に固定する。針金製支柱２１の他端には差込みソケット２５が設けられ、差込みソケット２５には花２２や葉２３の茎となる枝・茎用金属線２６が挿入される。枝・茎用金属線２６には色の付いた和紙や布などが捲いてあるが、花２２や葉２３の接合部分は針金同士直接接続した上で、和紙や布を捲くことで音の振動エネルギーを損なうことなく伝えることができるようにしてある。【００６０】
造花部分の花２２や葉２３について説明する。【００６１】
花２２や葉２３は、和紙や布を使用する。特に、和紙の場合、音の響きの良いみつまた、がんぴ、楮、バナナ、ケナフ、ピニア等の靭皮繊維の和紙を使用するのが好ましい。これらの靭皮繊維を便用した和紙は、音を伝達した場合、その振動がやわらかく心地良い音を奏でる効果がある。また布を用いる場合も糊で固め、焼きごてなどで湾曲を施し、表面に緊張を持たせることで響きが良くなる。更に、造花部分全体を花束状にセロハンや和紙で包むことも可能である。この時、素材は堅めで音の反響しやすい素材で包み針金製支柱２１や差込みソケット２５付近をリボン等でしっかり縛れば一層響きが良くなる。【００６２】
発音機構２は透明ガラス等により成形したケース２７に収容され、ケース２７の底部には防振材２８が固定されている。防振材２８を介して発音機構２がケース２７内に保持され、発音機構２の振動が防振材２８によりケース２７に伝わることが阻止され、針金製支柱２１に発音機構２の振動を確実に伝達することができる。【００６３】
オルゴール装置を駆動させるためのハンドル９は、ケース２７外に邪魔にならないように、かつ、回動可能なように導出してある（図示例では下部に導出されている）。ケース２７の上部には開口部２９が設けられ、開口部２９から針金製支柱２１が上部に導き出される。
【実施例３】
【００６４】
図４には本発明の実施例３に係る発音装置としてのスピーカー装置の全体構成を表す斜視を示してある。尚、図３に示した実施例２と和紙装飾体２４の構成は同一であるので、同一符号を付して重複する説明は省略してある。実施例３は電力の変化に応じてコイルと磁石から音を発生させる電力発音機構であるスピーカー装置に物品としての造花部分を接続して共鳴させるようにした発音装置の例を示してある。【００６５】
スピーカー装置３０のコイル３１にはエナメル線３２が巻回され、エナメル線３２の先には音楽や歌などの音源であるプレイヤーが接続されている（図示省略）。コイル３１の周囲には磁石としての永久磁石３３が設けられている。コイル３１に電力が供給されると（電流が流れると）フレミングの左手の法則により永久磁石３３の極性に反発して上下の振動が発生し、その運動エネルギーが針金製支柱２１を介して和紙装飾体２４をふるわせて音を発生させる。【００６６】
スピーカー装置３０により色々な音色が楽しめ、また、音の大きさも電力の変化により調整することができる。更に、音楽だけでなく人間の話し声、犬、猫の鳴き声、その他の動物の声、小鳥のさえずり、小川の音、滝の音、虫の音、波の音、森林の音、風の音、雨の音等自然界の様々な音で癒しの効果も期待できる。
【実施例４】
【００６７】
図５には本発明の実施例４に係る発音装置としてのオルゴール装置の全体構成を表す斜視を示してある。尚、図３に示した実施例２と発音機構２の構成は同一であるので、同一符号を付して重複する説明は省略してある。実施例４はオルゴール装置により物品としての円筒型の和紙を共鳴させるようにした発音装置の例を示してある。【００６８】
即ち、針金製支柱２１には円筒型和紙３５が固定され、円筒型和紙３５の内部には照明手段としての電球３６が備えられている。円筒型和紙３５の内部の電球３６の周囲にスリット状の絵を挿入して回転させることで、影絵を映し出すことも可能である。電球３６により円筒型和紙３５を内部から照らすことにより、音を発するだけではなく、例えば、行灯のように雰囲気のある装飾品として機能させることができる。
【実施例５】
【００６９】
図６には本発明の実施例５に係る発音装置としてのオルゴール装置の全体構成を表す斜視を示してある。尚、図３に示した実施例２と発音機構２の構成は同一であるので、同一符号を付して重複する説明は省略してある。実施例５はオルゴール装置により物品としての竹筒を直接共鳴させるようにした発音装置の例を示してある。【００７０】
即ち、発音機構２の基台５が竹筒３７の内部の節部３８に直接載置され、発音機構２の振動が竹筒３７に直接伝わるようになっている。竹筒３７は焼かれた竹により構成されている。焼かれた竹で構成された竹筒３７を用いたことにより、音を発するだけではなく、脱臭効果や殺菌効果を得ることができる。また、和室のインテリアとしても雰囲気のある装飾品として機能させることができる。尚、生の状態(好ましくは乾燥された状態)の竹により竹筒を構成することでも脱臭効果や殺菌効果を得ることができる。
【実施例６】
【００７１】
図７には本発明の実施例６に係る発音装置としてのオルゴール装置の全体構成を表す斜視を示してある。尚、図３に示した実施例２と発音機構２の構成は同一であるので、同一符号を付して重複する説明は省略してある。実施例６はオルゴール装置に紙部材を直接取り付けて共鳴させるようにした発音装置の例を示してある。【００７２】
即ち、発音機構２の基台５にはスリット部が形成され、スリット部には紙部材としての名札４１が差し込まれて接続されている。即ち、名札４１が発音機構２に直接取り付けられ、発音機構２の振動が名札４１に直接伝わるようになっている。名札４１を宴会や会合等の席札として利用することができ、発音機構２の曲目等を適宜選択することにより、幅広い用途の宴会の名札として使用することができる。また、名札以外であっても記念品等として幅広い用途に対応することができる。例えば、仏具や宗教用具等の装飾品としてオルゴール装置を適用し、適宜写真等を印刷した紙部材をオルゴール装置に接続することで、オリジナル性の高い装飾品とすることが可能である。
【実施例７】
【００７３】
図８には本発明の実施例７に係る発音装置としてのオルゴール装置の全体構成を表す斜視を示してある。尚、図３に示した実施例２と発音機構２の構成は同一であるので、同一符号を付して重複する説明は省略してある。実施例７はオルゴール装置に多角形の筒体４３を配置し、筒体４３の内部に照明装置を挿入して趣向のあるオルゴール装置にしている。【００７４】
筒体４３の部位を、例えば、クリスマスツリーにすることも可能であり、音源の振動エネルギーを直接または振動媒体を通してクリスマスツリーの幹の部分に伝えクリスマスツリー全体から音を発するようにすることができる。更に、電飾を付けて楽しい雰囲気を一層盛り上げることも可能となる。また、筒体４３の部位を、各種行事の装飾品(例えば、正月の飾り物)にすることも可能である。【００７５】
また、植物を一度炭に焼いたものを筒体４３に代えて配置することも可能である。生の植物では音の振動エネルギーが伝わりにくいので、植物を一度炭に焼いたものを使用することで音が美しく響くようになる。このようにすることにより、人工的ではなく自然の形で見た目も美しく、音も響き、また部屋に置くだけで炭のもつ脱臭効果や、殺菌効果も期待でき、美しい音の清潔感のある装飾品として飾ることができる。【００７６】
更に、発音機構２の周囲も例えば造花に合ったデザインの鉢や篭等によって覆うことで、一層インテリアとしての価値を増すことができる。また、照明機能を付加して板状紙あるいは筒状紙に直接又は間接照明を施すことにより、インテリア価値を向上させることができる。
【実施例８】
【００７７】
図９には本発明の実施例８に係る発音装置としてのオルゴール装置の全体構成を表す斜視を示してある。【００７８】
実施例８は、オルゴール装置５１をぬいぐるみ５２の中に入れ、振動媒体としての針金製支柱５３を介して音の振動エネルギーを外部に取り出し、針金製支柱５３に和紙で形成した物品としての傘５４を取り付けたものである。このため、傘５４の部位から音を発するだけではなく、見た目にも可愛らしい玩具にすることができ、付加価値を高めることができる。尚、物品形状として帽子、ラッパ、ランドセル等を針金製支柱５３に取り付け、見た目にも可愛らしい玩具にするようにしても良い。
【産業上の利用可能性】
【００７９】
本発明の発音装置は、例えば、オルゴールやスピーカー等の発音装置において、心地よい音を聞くだけの機能だけでなく装飾品としての機能を有し、見栄えと音質の向上を図ることができる。
【図１】
0003978463.tif 000002
【図２】
0003978463.tif 000003
【図３】
0003978463.tif 000004
【図４】
0003978463.tif 000005
【図５】
0003978463.tif 000006
【図６】
0003978463.tif 000007
【図７】
0003978463.tif 000008
【図８】
0003978463.tif 000009
【図９】
0003978463.tif 000010